(57)【特許請求の範囲】
【請求項１】
特定のＳＩＭ（Subscriber Identity Module）カードを識別するＳＩＭ識別子と、当該ＳＩＭ識別子に対応する接続先を示す対応接続先情報とを記憶する記憶部と、
情報処理装置から当該情報処理装置で使用されているＳＩＭカードを識別するＳＩＭ識別子と、接続を要求する接続先を示す要求接続先情報とを受信する受信部と、
前記受信部が受信したＳＩＭ識別子が前記記憶部に記憶されているか否かを判定する処理と、前記要求接続先情報と前記対応接続先情報とが互いに一致するか否かを判定する処理とを含む、前記情報処理装置を認証する認証処理を行い、前記受信部が受信したＳＩＭ識別子が前記記憶部に記憶されており、前記要求接続先情報と前記対応接続先情報とが互いに一致する場合、前記認証処理が成功したと判定し、当該認証処理に成功した場合、前記特定のＳＩＭカードに対応する特定サービスを前記情報処理装置に対して提供する制御部と、を有し、
前記特定サービスは、前記接続先と前記情報処理装置との接続を許可することを含む、サービス提供システム。
【請求項２】
前記情報処理装置は、前記ＳＩＭカードを保持する保持部材に印刷された情報を撮影した撮像画像から前記要求接続先情報を取得した場合には、前記要求接続先情報とともに前記要求接続先情報を前記撮像画像から取得した旨の特定取得情報を送信し、
前記認証処理は、前記受信部にて受信した前記要求接続先情報とともに前記特定取得情報が受信されたか否かを判定する処理を含む、請求項１に記載のサービス提供システム。
【請求項３】
前記情報処理装置は、前記ＳＩＭカードを保持する保持部材に印刷された情報を撮影した撮像画像に、接続先情報を既定の処理で取得した旨の特定取得情報が埋め込まれていた場合には、前記要求接続先情報とともに当該特定取得情報を送信し、
前記認証処理は、前記受信部にて受信した前記要求接続先情報とともに前記特定取得情報が受信されたか否かを判定する処理を含む、請求項１に記載のサービス提供システム。
【請求項４】
前記情報処理装置は、前記ＳＩＭカードを保持する保持部材に印刷された情報を撮影した撮像画像に対応する、前記要求接続先情報を前記撮像画像から取得した旨の特定取得情報が、前記撮像画像と前記要求接続先情報との関係を示すテーブルおいて前記撮像画像に対応付けられて記憶されていた場合には、前記要求接続先情報とともに前記特定取得情報を送信し、
前記認証処理は、前記受信部にて受信した前記要求接続先情報とともに前記特定取得情報が受信されたか否かを判定する処理を含む、請求項１に記載のサービス提供システム。
【請求項５】
前記特定サービスは、前記情報処理装置による前記ＳＩＭカードを利用した通信において通信制限または通信料金を判定する通信量から、前記対応接続先情報が示す接続先との通信の通信量を除外することを含む、請求項１ないし４のいずれか１項に記載のサービス提供システム。
【請求項６】
前記制御部は、前記受信部が受信したＳＩＭ識別子に対するアクティベーション処理を実行し、その後、前記認証処理を実行し、前記認証処理が成功した場合、前記情報処理装置を前記接続先に接続する、請求項１ないし５のいずれか１項に記載のサービス提供システム。
【請求項７】
前記制御部は、前記要求接続先情報と前記対応接続先情報とが互いに一致し、かつ、アクティベーション処理が実行されていない場合、前記特定サービスを受けるために必要な情報を入力する第１の画面情報を前記情報処理装置に送信し、前記要求接続先情報と前記対応接続先情報とが一致せず、かつ、アクティベーション処理が実行されていない場合、ネットワーク接続サービスを受けるために必要な情報を入力する第２の画面情報を前記情報処理装置に送信する、請求項１ないし６のいずれか１項に記載のサービス提供システム。
【請求項８】
前記認証処理が成功した前記情報処理装置と前記接続先との通信の履歴を示す履歴情報を生成する履歴管理部と、
前記履歴管理部が生成した履歴情報に基づいて、前記通信の履歴を分析する分析部と、をさらに有する、請求項１ないし７のいずれか１項に記載のサービス提供システム。
【請求項９】
特定のＳＩＭカードを識別するＳＩＭ識別子と、当該ＳＩＭ識別子に対応する接続先を示す対応接続先情報とを記憶部に記憶し、
情報処理装置から、当該情報処理装置で使用されているＳＩＭカードを識別するＳＩＭ識別子と、接続を要求する接続先を示す要求接続先情報とを受信し、
前記受信されたＳＩＭ識別子が前記記憶されているか否かを判定する処理と、前記要求接続先情報と前記対応接続先情報とが互いに一致するか否かを判定する処理とを含む、前記情報処理装置を認証する認証処理を行い、前記受信されたＳＩＭ識別子が前記記憶部に記憶されており、前記要求接続先情報と前記対応接続先情報とが互いに一致する場合、前記認証処理が成功したと判定し、当該認証処理に成功した場合、前記特定のＳＩＭカードに対応する特定サービスを前記情報処理装置に対して提供し、
前記特定サービスは、前記接続先と前記情報処理装置との接続を許可することを含む、サービス提供方法。
【請求項１０】
特定のＳＩＭカードを識別するＳＩＭ識別子と、当該ＳＩＭ識別子に対応する接続先を示す対応接続先情報とを記憶する記憶部と接続されたコンピュータに、
情報処理装置から、当該情報処理装置で使用されているＳＩＭカードを識別するＳＩＭ識別子と、接続を要求する接続先を示す要求接続先情報とを受信する手順と、
前記受信されたＳＩＭ識別子が前記記憶されているか否かを判定する処理と、前記要求接続先情報と前記対応接続先情報とが互いに一致するか否かを判定する処理とを含む、前記情報処理装置を認証する認証処理を行い、前記受信されたＳＩＭ識別子が前記記憶部に記憶されており、前記要求接続先情報と前記対応接続先情報とが互いに一致する場合、前記認証処理が成功したと判定し、当該認証処理に成功した場合、前記特定のＳＩＭカードに対応する特定サービスを前記情報処理装置に対して提供する手順と、を実行させ、
前記特定サービスは、前記接続先と前記情報処理装置との接続を許可することを含む、プログラム。
【発明の詳細な説明】
【技術分野】
【０００１】
本発明は、サービス提供システム、サービス提供方法およびプログラムに関する。
【背景技術】
【０００２】
特許文献１には、ＩＣカードを利用して端末に広告情報を表示させる技術が開示されている。この技術では、ＩＣカードの表面に第１の広告情報を印刷するとともに、第１の広告情報に関連する第２の広告情報を端末に表示させるための電子情報をＩＣカードに記憶する。ＩＣカードが端末に装着されると、上記の電子情報がＩＣカードから端末に送信され、端末は、その電子情報に基づいて第２の広告情報を表示する。これにより、ユーザはＩＣカードの表面に印刷した第１広告情報に関連する第２広告情報を閲覧することができる。
【先行技術文献】
【特許文献】
【０００３】
【特許文献１】特開２００３−２０８５７９号公報
【発明の概要】
【発明が解決しようとする課題】
【０００４】
従来、モバイル端末のようなＳＩＭ（Subscriber Identity Module：加入者識別モジュール）カードを使用して通信を行う情報処理装置には、特定のＳＩＭカードのみを使用可能にするＳＩＭロックと呼ばれる機能が備わっていたが、近年、ＳＩＭロックの解除が可能になり、様々なＳＩＭカードを使用することができるようになっている。このため、ＳＩＭカードを提供する提供元では、自身が提供するＳＩＭカードと他の提供元が提供するＳＩＭカードとの差別化が望まれている。
【０００５】
特許文献１に記載の技術では、ＳＩＭカードに応じた広告情報を提供することができるが、単に広告情報を提供するだけなので、有効な差別化を図ることができない。
【０００６】
本発明は、上記の問題を鑑みてなされたものであり、有効な差別化を図ることが可能なサービス提供システムおよびサービス提供方法を提供することを目的とする。
【課題を解決するための手段】
【０００７】
本発明によるサービス提供システムは、特定のＳＩＭカードを識別するＳＩＭ識別子を記憶する記憶部と、情報処理装置から当該情報処理装置で使用されているＳＩＭカードを識別するＳＩＭ識別子を受信する受信部と、前記受信部が受信したＳＩＭ識別子が前記記憶部に記憶されているか否かを判定する処理を含む、前記情報処理装置を認証する認証処理を行い、当該認証処理に成功した場合、前記情報処理装置に対して前記特定のＳＩＭカードに対応する特定サービスを提供する制御部と、を有する。
【０００８】
本発明によるサービス提供方法は、特定のＳＩＭカードを識別するＳＩＭ識別子を記憶し、情報処理装置から当該情報処理装置で使用されているＳＩＭカードを識別するＳＩＭ識別子を受信し、前記受信されたＳＩＭ識別子が前記記憶されているか否かを判定する処理を含む、前記情報処理装置を認証する認証処理を行い、当該認証処理に成功した場合、前記情報処理装置に対して前記特定のＳＩＭカードに対応する特定サービスを提供する。
【０００９】
本発明によるプログラムは、特定のＳＩＭカードを識別するＳＩＭ識別子を記憶する記憶部と接続されたコンピュータに、情報処理装置から当該情報処理装置で使用されているＳＩＭカードを識別するＳＩＭ識別子を受信する手順と、前記受信されたＳＩＭ識別子が前記記憶されているか否かを判定する処理を含む、前記情報処理装置を認証する認証処理を行い、当該認証処理に成功した場合、前記情報処理装置に対して前記特定のＳＩＭカードに対応する特定サービスを提供する手順と、を実行させる。
【発明の効果】
【００１０】
本発明によれば、有効な差別化を図ることが可能になる。
【図面の簡単な説明】
【００１１】
【図１】本発明の一実施形態のサービス提供システムを示す図である。
【図２】モバイル端末の構成例を示すブロック図である。
【図３】枠カードの一例を示す図である。
【図４】識別子情報の一例を示す図である。
【図５】ユーザ情報の一例を示す図である。
【図６】アドレス情報の一例を示す図である。
【図７】種別情報の一例を示す図である。
【図８】履歴情報の一例を示す図である。
【図９】ネットワーク接続装置の構成例を示すブロック図である。
【図１０】本発明の一実施形態のサービス提供システムの動作の一例を説明するためのシーケンス図である。
【図１１】本発明の一実施形態のサービス提供システムの動作の他の例を説明するためのシーケンス図である。
【発明を実施するための形態】
【００１２】
以下、本発明の実施形態について図面を参照して説明する。なお、各図面において同じ機能を有するものには同じ符号を付け、その説明を省略する場合がある。
【００１３】
図１は、本発明の第１の実施形態のサービス提供システムを示す図である。図１に示すサービス提供システムは、モバイル端末１と、ＳＩＭ識別子記憶装置２と、ユーザ情報記憶装置３と、ＩＰアドレス記憶装置４と、種別記憶装置５と、履歴記憶装置６と、ネットワーク接続装置７と、コンテンツサーバ８と、履歴管理装置９と、分析装置１０と、コンテンツ主端末１１とを有する。
【００１４】
モバイル端末１は、アクセスネットワーク２１およびプロバイダネットワーク２２を介して、プロバイダネットワーク２２上の種々の装置と接続可能である。本実施形態では、プロバイダネットワーク２２上の装置は、ネットワーク接続装置７および履歴管理装置９である。各記憶装置（ＳＩＭ識別子記憶装置２、ユーザ情報記憶装置３、ＩＰアドレス記憶装置４、種別記憶装置５、履歴記憶装置６）および分析装置１０は、本実施形態では、プロバイダネットワーク２２上にはないが、プロバイダネットワーク２２上に設けられてもよい。また、モバイル端末１は、アクセスネットワーク２１、プロバイダネットワーク２２およびインターネット２３を介して、インターネット２３上の種々の装置と接続可能である。本実施形態では、インターネット２３上の装置は、コンテンツサーバ８およびコンテンツ主端末１１であるが、コンテンツサーバ８およびコンテンツ主端末１１は、プロバイダネットワーク２２上に設けられてもよい。また、ネットワーク接続装置７および履歴管理装置９は、ＳＩＭ識別子記憶装置２、ユーザ情報記憶装置３、ＩＰアドレス記憶装置４、種別記憶装置５、履歴記憶装置６および分析装置１０とプロバイダネットワーク２２を介さずに接続可能である。
【００１５】
アクセスネットワーク２１は、例えば、３Ｇ網、ＬＴＥ（Long Term Evolution）網および無線ＬＡＮ（Local Area Network）などの無線ネットワークである。プロバイダネットワーク２２は、モバイル端末１をインターネット２３などのネットワークと接続させるネットワーク接続サービスを提供するＩＳＰ（Internet Service Provider：インターネットサービスプロバイ）やＭＶＮＯ（Mobile Virtual Network Operator：仮想移動体通信事業者）などのプロバイダが管理しているネットワークである。
【００１６】
モバイル端末１は、本サービス提供システムにてサービスを受けるユーザによって使用される情報処理装置であり、プロバイダネットワーク２２やインターネット２３上の装置が提供する種々のサービスを受けることができる。モバイル端末１は、例えば、スマートフォン、タブレット型コンピュータ、ポータブルゲーム機またはモバイルＰＣ（Personal Computer）などである。
【００１７】
図２は、モバイル端末１の構成例を示すブロック図である。図２に示すモバイル端末１は、表示部１０１と、入力部１０２と、端末記憶部１０３と、着脱部１０４と、端末通信部１０５と、生成部１０６と、端末制御部１０７とを有する。
【００１８】
表示部１０１は、種々の情報を表示する。入力部１０２は、ユーザから種々の情報を受け付ける。端末記憶部１０３は、種々の情報を記憶する。
【００１９】
着脱部１０４には、ＳＩＭカード１００が着脱可能である。ＳＩＭカード１００は、所定のネットワークを利用する際に使用されるカードであり、ＳＩＭカード１００を識別するＳＩＭ識別子を記録している。ＳＩＭ識別子は、例えば、ＭＳＩＳＤＮ（Mobile Subscriber Integrated Services Digital Network Number）、電話番号またはＩＭＳＩ（International Mobile Subscriber Identity）などのＳＩＭカード１００に固有の情報である。ＳＩＭカード１００の着脱部１０４への装着はモバイル端末１の電源がオフの場合に行われる。所定のネットワークは、本実施形態では、アクセスネットワーク２１である。
【００２０】
本実施形態では、ＳＩＭカード１００として特定のＳＩＭカードが使用された場合、ＳＩＭカード１００を用いた通信の履歴が記憶および分析され、その分析結果が、特定のＳＩＭカードに対応するサービスである特定サービスを提供するサービス提供主に開示されることがある。このため、特定のＳＩＭカードの提供者（例えば、通信事業者やプロバイダ）は、通信の履歴が記憶および分析され、その分析結果がサービス提供主に提供されることをユーザに示し、それに同意したユーザに対してＳＩＭカードを提供（例えば、販売）することが望ましい。
【００２１】
特定サービスは、特定コンテンツを配信するコンテンツサーバ８と接続し、特定コンテンツの取得を許可することを含む。このため、以下では、サービス提供主をコンテンツ主と称する。また、特定サービスは、ＳＩＭカード１００を利用した通信において通信制限または通信料金を判定する通信量から、コンテンツサーバ８との間の通信の通信量を除外することを含んでもよい。
【００２２】
端末通信部１０５は、プロバイダネットワーク２２上およびインターネット２３上の各装置と通信を行う。例えば、端末通信部１０５は、ネットワーク接続装置７から、ＳＩＭ識別子を要求するＳＩＭ識別子要求と、特定サービスおよびネットワーク接続サービスを受ける会員になるために必要な第１の必要項目情報を示す第１の入会画面情報と、特定サービスを受けずにネットワーク接続サービスだけを受ける会員になるために必要な第２の必要項目情報を示す第２の入会画面情報と、特定のＳＩＭカードを使用するユーザを認証するための認証情報と、認証情報を要求する認証情報要求と、モバイル端末１の認証に失敗した旨のエラーメッセージと、モバイル端末１に割り当てられたＩＰアドレスと、特定コンテンツを取得するためのワンタイムパスワードを受信する。なお、ワンタイムパスワードは第１の入会画面情報に含まれてもよく、必要なければなくてもよい。また、ワンタイムパスワードの代わりに、複数回使えるキーワードやＩＤとパスワードの組み合わせなどが使用されてもよい。
【００２３】
第１の必要項目情報は、例えば、ＳＩＭカード１００に記載の情報やユーザの属性を示す属性情報などである。属性情報は、ユーザの属性として、例えば、氏名、住所、連絡先および生年月日などを示す。第１の入会画面情報は、特定サービス専用の入会画面を示す情報であり、例えば、第１の必要項目情報を入力するための入力欄を含む。また、第１の入会画面情報は、特定サービスを受ける場合には、通信の履歴が記憶および分析され、コンテンツ主に提供される旨と、ユーザにその旨を同意するか否かを問い合わせる情報とを含むことが望ましい。また、入会画面は、オプションサービスを受けるための入力欄や入会ボタン、特定コンテンツを取得するためのワンタイムパスワードなどを含んでもよい。
【００２４】
第２の必要項目情報は、例えば、ＳＩＭカード１００に記載の情報や属性情報などである。第２の入会画面情報は、例えば、第２の必要項目情報を入力するための入力欄を含む。なお、本実施形態では、特定サービスを受けない場合、通信の履歴が分析されてコンテンツ主に提供されることはないため、通信の履歴が記憶および分析され、コンテンツ主に提供される旨の情報などは、第２の入会画面情報には含まれない。
【００２５】
認証情報は、特定のＳＩＭカードのＳＩＭ識別子と対応付けられた情報であり、本実施形態では、ユーザを識別するユーザ識別子であるユーザＩＤとパスワードである。認証情報要求は、例えば、認証情報であるユーザＩＤおよびパスワードを入力するための入力欄を含む画面を示す。なお、認証情報は、ユーザＩＤとパスワード以外に、ＩＰアドレス、または、ユーザ識別子などを用いても構わない。
【００２６】
また、端末通信部１０５は、コンテンツサーバ８から、ワンタイムパスワードを要求するパスワード要求と、特定コンテンツを受信する。特定コンテンツの種類は特に限定されない。例えば、特定コンテンツは、映像情報、音楽情報、アプリケーション、所定のアプリケーションで使用される追加データなどである。追加データは、例えば、ゲームアプリケーションによるゲーム内で使用できるアイテムやクエストなどを示す。
【００２７】
生成部１０６は、特定のＳＩＭカードに対応する特定サービスを受けるための接続先を示す接続先情報に対応する接続先取得用情報を生成する。接続先情報は、例えば、ネットワーク接続装置７のＵＲＬ（Uniform Resource Locator）またはコンテンツサーバ８のＵＲＬなどである。以下では、接続先情報は、コンテンツサーバ８のＵＲＬであるとする。
【００２８】
生成部１０６は、例えば、カメラであり、所定の場所に印刷された情報を撮像した撮像画像を接続先取得用情報として生成する。所定の場所は、例えば、ＳＩＭカード１００を保持するカード状の保持部材である枠カードである。
【００２９】
図３は、枠カードの一例を示す図である。具体的には、図３（ａ）は、枠カードの表面を示し、図３（ｂ）は、枠カードの裏面を示す。図３に示す枠カード１１０は、ＳＩＭカード１００を保持する保持領域１１１を有する。ＳＩＭカード１００は枠カード１１０に保持された状態でユーザに提供され、ユーザは、枠カード１１０からＳＩＭカードを取り外し、モバイル端末１の着脱部１０４に装着する。図３では、ＳＩＭカード１００が保持領域１１１に保持されている状態の枠カード１１０が示されている。
【００３０】
図３の例では、枠カード１１０の表面における保持領域１１１以外の領域と、枠カード１１０の裏面における保持領域１１１以外の一部の領域が、ＳＩＭカード１００の提供者が所望の情報を印刷することができる印刷領域１１２になっている。提供者は、例えば、印刷領域１１２に、接続先情報を表す２次元バーコード１１３や広告情報を印刷する。
【００３１】
端末制御部１０７は、モバイル端末１全体を制御する。具体的には、端末制御部１０７は、以下の処理を行う。
【００３２】
端末制御部１０７は、生成部１０６が生成した接続先取得用情報から接続先情報を取得する。例えば、接続先取得用情報が枠カード１１０の印刷領域１１２に印刷された情報を撮像した撮像画像の場合、接続先取得用情報としては、広告情報、２次元バーコード、広告情報および２次元バーコードの両方の３通りのパターンがある。接続先取得用情報が２次元バーコード、または広告情報および２次元バーコードの両方の場合、端末制御部１０７は、その２次元バーコードを接続先情報に変換することで、接続先情報を取得する。また、接続先取得用情報が広告情報の場合、端末制御部１０７は、接続先取得用情報に対して画像認識処理を行って広告情報を特定し、広告情報と接続先情報との関係を示すテーブルを用いて、その特定した広告情報に対応する接続先情報を取得する。このテーブルは端末記憶部１０３に記憶されていてもよいし、インターネット２３などのネットワーク上にあってもよい。
【００３３】
接続先情報を取得すると、端末制御部１０７は、その接続先情報にて示される接続先に接続する旨の接続要求を送信する。このとき、端末制御部１０７は、接続先情報を要求接続先情報として接続要求に含める。また、端末制御部１０７は、接続先情報を既定の処理で取得した場合、接続先情報を既定の処理で取得した旨の特定取得情報を接続要求に含めてもよい。なお、端末制御部１０７は、接続先情報および特定取得情報を、接続要求とは別に送信してもよい。
【００３４】
既定の処理は、本実施形態では、特定のＳＩＭカードを保持する枠カード１１０に印刷された情報を撮像した撮像画像から取得する方法である。この場合、端末制御部１０７は、撮像画像から接続先情報を取得した場合に、特定取得情報を接続要求に含める。また、枠カード１１０に印刷された２次元バーコードに特定取得情報が埋め込まれていたり、上記の広告情報と接続先情報との関係を示すテーブルにおいて枠カード１１０に印刷された広告情報に特定取得情報が対応付けられていたりした場合に、端末制御部１０７は、特定取得情報を接続要求に含めてもよい。
【００３５】
なお、端末制御部１０７は、接続先情報を取得した際に、その接続先情報と、接続先情報が示す接続先に接続するか否かをユーザに問い合わせる情報とを表示部１０１に表示してもよい。この場合、入力部１０２が接続を許可する接続許可情報を受け付けると、端末制御部１０７は、接続要求を送信する。
【００３６】
また、端末通信部１０５がＳＩＭ識別子要求を受信すると、端末制御部１０７は、着脱部１０４に装着されたＳＩＭカード１００を特定するＳＩＭ識別子をネットワーク接続装置７に送信する。ＳＩＭ識別子は、例えば、ＭＳＩＳＤＮ、電話番号またはＩＭＳＩのようなＳＩＭカード１００に記録されたＳＩＭカード１００に固有の情報である。また、これらの固有の情報と対応付けられた認証情報（ユーザＩＤやパスワード）が端末記憶部１０３に記憶されている場合、端末制御部１０７は、この認証情報をＳＩＭ識別子としてネットワーク接続装置７に送信してもよい。
【００３７】
また、端末通信部１０５が第１の入会画面情報を受信した場合、端末制御部１０７は、第１の入会画面情報を表示部１０１に表示する。その後、入力部１０２が第１の必要項目情報を受け付けると、端末制御部１０７は、第１の必要項目情報をネットワーク接続装置７に送信する。
【００３８】
また、端末通信部１０５が第２の入会画面情報を受信した場合、端末制御部１０７は、第２の入会画面情報を表示部１０１に表示する。その後、入力部１０２が第２の必要項目情報を受け付けると、端末制御部１０７は、第２の必要項目情報をネットワーク接続装置７に送信する。
【００３９】
また、端末通信部１０５が認証情報を受信すると、端末制御部１０７は、その認証情報を表示部１０１に表示するとともに、端末記憶部１０３に記憶する。
【００４０】
また、端末通信部１０５が認証情報要求を受信すると、端末制御部１０７は、その認証情報要求を表示部１０１に表示する。その後、入力部１０２が認証情報を受け付けた場合、端末制御部１０７は、認証情報をネットワーク接続装置７に送信する。
【００４１】
また、端末通信部１０５がエラーメッセージを受信すると、端末制御部１０７は、そのエラーメッセージを表示部１０１に表示する、
【００４２】
また、端末通信部１０５がＩＰアドレスを受信すると、端末制御部１０７は、そのＩＰアドレスを端末記憶部１０３に記憶する。これにより、端末制御部１０７は、ＩＰアドレスを用いて、アクセスネットワーク２１、プロバイダネットワーク２２およびインターネット２３を介して、インターネット２３上の種々の装置と接続することができる。
【００４３】
また、端末通信部１０５がワンタイムパスワードを受信すると、端末制御部１０７は、そのワンタイムパスワードを表示部１０１に表示する。また、端末通信部１０５がパスワード要求を受信すると、端末制御部１０７は、そのパスワード要求を表示部１０１に表示する。その後、入力部１０２がワンタイムパスワードを受け付けると、端末制御部１０７は、そのワンタイムパスワードをコンテンツサーバ８に送信する。
【００４４】
また、端末通信部１０５がコンテンツを受信すると、端末制御部１０７は、そのコンテンツに応じた処理を行う。例えば、コンテンツが映像情報の場合、端末制御部１０７は、その映像情報を表示部１０１に表示する。
【００４５】
ＳＩＭ識別子記憶装置２、ユーザ情報記憶装置３、ＩＰアドレス記憶装置４、種別記憶装置５および、履歴記憶装置６は、記憶部と総称される。記憶部は、種々のサーバ（図示せず）に内蔵されたハードディスクや、サーバとは独立したＮＡＳ（Network Attached Storage)などで実現される。
【００４６】
ＳＩＭ識別子記憶装置２は、特定のＳＩＭカードを識別するＳＩＭ識別子に関する識別子情報を記憶する記憶部である。識別子情報は、特定のＳＩＭカードを識別するＳＩＭ識別子ごとに、ＳＩＭカード１００に対する認証処理の１つであるアクティベーション処理を実行したか否かを示すアクティベーション情報と、特定のＳＩＭカードに対応するサービスを示す初期契約情報とを対応付けた情報である。初期契約情報は、サービスの種別を示す種別識別子を含む。アクティベーション情報は、アクティベーションを実行していない場合、「未」を示し、アクティベーションを実行した場合、「済」を示す。
【００４７】
なお、ＳＩＭ識別子記憶装置２は、複数の種類（例えば、ＭＳＩＳＤＮと認証情報）のＳＩＭ識別子を記憶してもよい。また、ＳＩＭ識別子記憶装置２は、ＳＩＭ識別子として、アクティベーション処理の実行前には、第１の種類のＳＩＭ識別子（例えば、ＭＳＩＳＤＮ）を記憶し、アクティベーション処理の実行後には、第２の種類のＳＩＭ識別子（例えば、認証情報）を記憶するなど、状況に応じてＳＩＭ識別子を変更してもよい。
【００４８】
図４は、識別子情報の一例を示す図である。図４に示す識別子情報２００は、ＳＩＭ識別子２０１と、アクティベーション情報２０２と、初期契約情報２０３とを含む。初期契約情報２０３は、サービスの種別を示す種別識別子であるモバイル回線種別を含む。モバイル回線種別にはＡコースからＣコースまでの３つの種別があり、後述するようにＢコースおよびＣコースが、特定のＳＩＭカードに対応する特定サービスを受けることができる特定種別である。また、初期契約情報２０３は、サービスを受けることができる期限であるモバイル回線期限が存在する場合、そのモバイル回線期限を示す。また、初期契約情報は、ＳＩＭカード１００がプリペイド式か否かなどをさらに示してもよい。
【００４９】
ユーザ情報記憶装置３は、サービスを受けるユーザに関するユーザ情報を記憶する。ユーザ情報は、例えば、ユーザを識別するユーザＩＤごとに、パスワードと、ユーザの属性情報と、ユーザが利用するＳＩＭカード１００を識別するＳＩＭ識別子と、ユーザに提供するサービスを示す契約情報とを対応付けた情報である。ユーザＩＤおよびパスワードは認証情報としても使用される。
【００５０】
図５は、ユーザ情報の一例を示す図である。図５に示すユーザ情報３００は、ユーザＩＤ３０１と、パスワード３０２と、住所３０３と、生年月日３０４と、ＳＩＭ識別子３０５と、契約情報３０６とを有する。住所３０３および生年月日３０４は、属性情報の一例である。契約情報３０６は、図４に示した初期契約情報２０３に、サービスを開始した日であるモバイル回線開通日を加えた情報である。
【００５１】
ＩＰアドレス記憶装置４は、モバイル端末１に割り当てたＩＰアドレスに関するアドレス情報を記憶する。アドレス情報は、例えば、ＳＩＭ識別子ごとに、ＳＩＭ識別子にて識別されるＳＩＭカード１００が装着されたモバイル端末１に割り当てたＩＰアドレスと、モバイル端末１がネットワークに接続しているか否かを示す接続状況情報とを対応付けた情報である。接続状況情報は、接続している接続日時などをさらに示してもよい。接続状況情報は、モバイル端末１が特定のネットワークに接続している場合、「接続中」を示し、モバイル端末１が特定のネットワークに接続していない場合、「切断中」を示す。なお、特定のネットワークは、アクセスネットワーク２１、プロバイダネットワーク２２およびインターネット２３のいずれでもよいが、本実施形態では、インターネット２３とする。
【００５２】
図６は、アドレス情報の一例を示す図である。図６に示すアドレス情報４００は、ＳＩＭ識別子４０１と、ＩＰアドレス４０２と、状況４０３とを含む。状況４０３は、接続状況情報の一例である。
【００５３】
種別記憶装置５は、サービスの種別のうち特定サービスを受けることができる特定種別に関する種別情報を記憶する。種別情報は、例えば、特定種別を示す種別識別子ごとに、その特定種別の特定サービスに対応する接続先を示す対応接続先情報を示す情報である。
【００５４】
図７は、種別情報の一例を示す図である。図７に示す種別情報５００は、種別識別子であるモバイル回線種別５０１と、対応接続先情報５０２とを含む。モバイル回線種別５０１は、種別識別子の一例であり、種別として、特定種別であるＢコースとＣコースを示している。図７の例では、モバイル回線種別５０１のそれぞれに互いに異なる対応接続先情報５０２が１つずつ対応しているが、１つのモバイル回線種別５０１に複数の対応接続先情報５０２が対応してもよいし、複数のモバイル回線種別５０１に共通の対応接続先情報５０２が対応してもよい。
【００５５】
履歴記憶装置６は、特定のＳＩＭカードを装着したモバイル端末１の通信の履歴を示す履歴情報を記憶する。履歴情報は、例えば、特定サービスを受けるモバイル端末１を識別する端末識別子（例えば、ＳＩＭ識別子またはＩＰアドレス）ごとに、特定のＳＩＭカードを装着したモバイル端末１の通信の履歴を示す個別履歴情報が対応付けられている。個別履歴情報は、モバイル端末１が接続した接続先や接続日時などを示す。
【００５６】
図８は、履歴情報の一例を示す図である。図８に示す履歴情報６００は、ＳＩＭ識別子６０１と、接続先６０２と、日時６０３とを含む。ＳＩＭ識別子６０１は、端末識別子の一例であり、接続先６０２および日時６０３は、個別履歴情報の一例である。
【００５７】
ネットワーク接続装置７は、モバイル端末１などの種々の端末をインターネット２３に接続するための装置である。ネットワーク接続装置７は、例えば、ネットワークアクセスサーバ、ゲートウェイサーバおよびＲＡＤＩＵＳ（Remote Authentication Dial-in User Service）サーバの少なくとも一つから構成される。
【００５８】
図９は、ネットワーク接続装置７の構成を示す図である。図９に示すネットワーク接続装置７は、接続通信部７０１と、接続記憶部７０２と、接続制御部７０３とを有する。
【００５９】
接続通信部７０１は、モバイル端末１などの装置と通信する。例えば、接続通信部７０１は、モバイル端末１から接続要求、ＳＩＭ識別子および第１の必要項目情報を受信する受信部として機能する。接続記憶部７０２は、モバイル端末１に割り当てることが可能なＩＰアドレスごとに、そのＩＰアドレスが割り当て済みか否かを示すプール情報を記憶する。
【００６０】
接続制御部７０３は、ネットワーク接続装置７全体を制御する制御部である。具体的に
は、接続制御部７０３は、以下の処理を行う。
【００６１】
接続通信部７０１が接続要求を受信した場合、接続制御部７０３は、その接続要求の送信元であるモバイル端末１に対してＳＩＭ識別子要求を送信する。
【００６２】
接続通信部７０１がＳＩＭ識別子を受信すると、接続制御部７０３は、その受信されたＳＩＭ識別子である対象ＳＩＭ識別子と、ＳＩＭ識別子記憶装置２に記憶されているＳＩＭ識別子を用いて、対象ＳＩＭ識別子の送信元であるモバイル端末１を認証する認証処理を行う。認証処理は、少なくとも対象ＳＩＭ識別子がＳＩＭ識別子記憶部に記憶されているか否かを判定する処理を含む。また、接続制御部７０３は、対象識別子と、ＳＩＭ識別子記憶装置２に記憶されている識別子情報と、種別記憶装置５に記憶されている種別情報とに基づいて、対象ＳＩＭ識別子にて識別されるＳＩＭカード１００に対応する特定サービスが存在するか否かを確認する。
【００６３】
モバイル端末１の認証に成功し、かつ、特定サービスが存在する場合、接続制御部７０３は、モバイル端末１をインターネット２３に接続するネットワーク接続サービスと、モバイル端末１に対して対象ＳＩＭ識別子にて識別されるＳＩＭカード１００である対象ＳＩＭカードに対応する特定サービスとを、モバイル端末１に提供する。なお、モバイル端末１の認証に失敗した場合、接続制御部７０３は、モバイル端末１の認証に失敗した旨のエラーメッセージをモバイル端末１に通知してもよい。また、モバイル端末１の認証に成功し、かつ、特定サービスが存在しない場合、接続制御部７０３は、ネットワーク接続サービスをモバイル端末１に提供する。
【００６４】
具体的には、先ず、接続制御部７０３は、対象ＳＩＭ識別子がＳＩＭ識別子記憶装置２に記憶されているか否かを判定する。対象ＳＩＭ識別子が記憶されている場合、接続制御部７０３は、ＳＩＭ識別子記憶装置２において対象ＳＩＭ識別子に対応するアクティベーション情報が「済」を示すか否かを判定して、対象ＳＩＭ識別子に対するアクティベーション処理が実行済みか否かを判定する。
【００６５】
アクティベーション処理が実行されていない場合、接続制御部７０３は、対象ＳＩＭカードに対応した特定サービスが存在するか否かを判定する。具体的には、接続制御部７０３は、ＳＩＭ識別子記憶装置２において対象ＳＩＭ識別子に対応する初期契約情報に含まれる種別識別子が種別記憶装置５に記憶されているか否かを判定する。接続制御部７０３は、初期契約情報に含まれる種別識別子が種別記憶装置５に記憶されている場合、特定サービスが存在すると判定し、初期契約情報に含まれる種別識別子が種別記憶装置５に記憶されていない場合、特定サービスが存在しないと判定する。
【００６６】
特定サービスが存在する場合、接続制御部７０３は、接続要求に含まれる要求接続先情報が特定サービスに対応しているか否かを判定する。具体的には、接続制御部７０３は、要求接続先情報と、種別記憶装置５において対象ＳＩＭ識別子に対応する対応接続先情報とが互いに一致するか否かを判定する。要求接続先情報と対応接続先情報とが互いに一致する場合、要求接続先情報が特定サービスに対応していると判定する。また、接続制御部７０３、上記の判定に加えて、接続制御部７０３にて特定取得情報が受信されたか否か、つまり、接続要求内に特定取得情報が含まれるかを判定してもよい。この場合、接続制御部７０３、要求接続先情報と対応接続先情報とが互いに一致し、かつ、特定取得情報が含まれていると、要求接続先情報が特定サービスに対応していると判定する。
【００６７】
要求接続先情報が特定サービスに対応し、かつ、アクティベーション処理が実行されていない場合、接続制御部７０３は、第１の入会画面情報を、対象ＳＩＭ識別子の送信元であるモバイル端末１に送信する。その後、接続通信部７０１が第１の必要項目情報を受信した場合、接続制御部７０３は、その第１の必要項目情報に基づいて、特定サービスを提供するユーザを登録するユーザ登録処理を行う。具体的には、接続制御部７０３は、対象ＳＩＭ識別子に対応する認証情報であるユーザＩＤおよびパスワードを発行し、その認証情報をモバイル端末１に送信する。そして、接続制御部７０３は、認証情報と、第１の必要項目情報に含まれる属性情報と、接続通信部７０１が先に受信したＳＩＭ識別子を対応付けてユーザ情報記憶装置３に記憶する。さらに接続制御部７０３は、ＳＩＭ識別子記憶装置２において対象ＳＩＭ識別子に対応する初期契約情報に、現在の日付をモバイル回線開通日として加えた契約情報を生成し、その契約情報をユーザＩＤと対応付けてユーザ情報記憶装置３に記憶する。なお、接続制御部７０３は、第１の必要項目情報に含まれる属性情報以外の情報もユーザＩＤと対応付けてユーザ情報記憶装置３に記憶してもよい。
【００６８】
要求接続先情報が特定サービスに対応しておらず、かつ、アクティベーション処理が実行されていない場合、接続制御部７０３は、第２の入会画面情報を、対象ＳＩＭ識別子の送信元であるモバイル端末１に送信する。その後、接続通信部７０１が第２の必要項目情報を受信した場合、接続制御部７０３は、その第２の必要項目情報に基づいて、特定サービスを提供するユーザを登録するユーザ登録処理を行う。ユーザ登録処理は、接続通信部７０１が第１の必要項目情報を受信した際の処理と同様であるため、詳細な説明は省略する。なお、この場合、接続制御部７０３は、モバイル端末１に、第２の入会画面情報を送信せずに、枠カード１１０の印刷領域１１２に印刷されている接続先情報を撮像して接続先に接続するように依頼する旨のメッセージを送信してもよい。
【００６９】
ここで、既にＳＩＭカードを購入したユーザがＳＩＭカード提供者の他のサービスに加入しており、ユーザ登録処理が済んでいる場合を考慮し、接続制御部７０３は、第１の入会画面情報または第２の入会画面情報に認証情報を入力する欄を設けてモバイル端末１に送信してもよい。その後、接続通信部７０１が認証情報を受信した場合、接続制御部７０３は、その認証情報がユーザ情報記憶装置３に記憶されているか否かを判定して、ユーザを認証するユーザ認証処理を行う。認証情報がユーザ情報記憶装置３に記憶されている場合、接続制御部７０３は、ユーザ認証処理に成功し、既にユーザ登録処理が済んでいると判定して、ユーザ情報記憶装置３において認証情報に含まれるユーザＩＤに対応付けられた契約情報に、接続通信部７０１が先に受信したＳＩＭ識別子と、ＳＩＭ識別子記憶装置２において対象ＳＩＭ識別子に対応する初期契約情報と、現在の日付をモバイル回線開通日とを追加して登録する。
【００７０】
ユーザ登録処理が行われた場合、または、ＳＩＭカードの追加登録処理が行われた場合、接続制御部７０３は、ＳＩＭカード１００の対象ＳＩＭ識別子に対するアクティベーション処理を実行する。ＳＩＭ識別子に対するアクティベーション処理は、良く知られた技術であるため、詳細な説明は省略する。アクティベーション処理が成功すると、接続制御部７０３は、ＳＩＭ識別子記憶装置２において対象ＳＩＭ識別子に対応するアクティベーション情報を「済」に変更する。そして、接続制御部７０３は、モバイル端末１の認証処理が成功したと判定する。
【００７１】
また、既にアクティベーション処理が実行済みの場合、接続制御部７０３は、認証情報要求をモバイル端末１に送信する。その後、接続通信部７０１が認証情報を受信した場合、接続制御部７０３は、その認証情報がユーザ情報記憶装置３に記憶されているか否かを判定して、ユーザを認証するユーザ認証処理を行う。ユーザ認証処理に成功した場合、接続制御部７０３は、モバイル端末１の認証処理が成功したと判定する。このとき、接続制御部７０３は、ユーザ情報記憶装置３において認証情報に対応する契約情報を確認して、契約が有効か否かを判定してもよい。例えば、接続制御部７０３は、現在の日時が契約情報にて示されるモバイル回線期限内か否かを判定して、契約が有効か否かがを判定する。この場合、接続制御部７０３は、契約が有効であると、モバイル端末１の認証処理に成功したと判定する。
【００７２】
対象ＳＩＭ識別子がＳＩＭ識別子記憶装置２に記憶されていない場合、アクティベーション処理またはユーザ認証処理が失敗した場合、接続制御部７０３は、モバイル端末１の認証が失敗したと判定する。この場合、接続制御部７０３は、モバイル端末１に、モバイル端末１の認証が失敗した旨のエラーメッセージを送信する。
【００７３】
上記のアクティベーション処理の実行後、または、ユーザ認証処理後に、モバイル端末１の認証処理が成功した場合、接続制御部７０３は、接続記憶部７０２に記憶されたプール情報に基づいて、未だ割り当てていないＩＰアドレスのいずれかをモバイル端末１に対して割り当て、その割り当てたＩＰアドレスをモバイル端末１に通知する。接続制御部７０３は、モバイル端末１に割り当てたＩＰアドレスが割り当て済みとなるようにプール情報を更新する。このとき、接続制御部７０３は、特定サービスを提供するモバイル端末１には、特定サービス提供用の特定のＩＰアドレスを割り当てても良い。
【００７４】
モバイル端末１にＩＰアドレスを割り当てた場合、接続制御部７０３は、ＳＩＭ識別子、ＩＰアドレスおよび「接続中」を示す接続状況情報を対応付けてアドレス情報としてＩＰアドレス記憶装置４に記憶する。なお、モバイル端末１がアクセスネットワーク２１などのネットワークから切断された場合、接続制御部７０３は、ＩＰアドレス記憶装置４から、そのモバイル端末１のユーザＩＤおよびＩＰアドレスを削除するか、ＩＰアドレスのみを削除し、そのユーザＩＤに対応する接続状況情報を「切断中」に更新する。
【００７５】
また、モバイル端末１の認証処理が成功し、かつ、対象ＳＩＭ識別子に対応する特定サービスが存在する場合、接続制御部７０３は、モバイル端末１に対する特定サービスを提供するため、モバイル端末１を要求接続先情報が示す接続先であるコンテンツサーバ８に接続させる。ここでモバイル端末１に対する特定サービスの提供を限定する場合は、ワンタイムパスワードをモバイル端末１に送信する。モバイル端末１に対する特定サービスの提供方法によって、ワンタイムパスワード以外のモバイル端末１を特定できる他の情報を送信してもよい。
【００７６】
なお、既にアクティベーション処理が実行済みの場合、モバイル端末１は、当然ながら、コンテンツサーバ８だけでなく、コンテンツサーバ８以外の種々の装置と通信を行うことができる。また、モバイル端末１は、コンテンツサーバ８に複数回接続することも可能である。コンテンツサーバ８に複数回接続することが可能な場合、接続制御部７０３は、モバイル端末１をコンテンツサーバ８に接続するごとに、ワンタイムパスワードを発行してもよいし、ワンタイムパスワード以外の複数回使用できるモバイル端末１を特定できる方法を用いてもよい。
【００７７】
コンテンツサーバ８は、特定コンテンツを保持し、モバイル端末１から接続されると、特定コンテンツをモバイル端末１に送信する。また、コンテンツサーバ８は、モバイル端末１から接続されると、パスワード要求をモバイル端末１に送信し、その後、モバイル端末１からワンタイムパスワードを受信すると、特定コンテンツをモバイル端末１に送信してもよい。また、コンテンツサーバ８は、特定のＩＰアドレスが割り当てられたモバイル端末１から接続された場合に、特定コンテンツを送信してもよい。この場合、ワンタイムパスワードは必要ない。
【００７８】
履歴管理装置９は、専用の装置や汎用のサーバなどで実現される。履歴管理装置９は、特定サービスを受けるモバイル端末１の通信の履歴を示す履歴情報を生成する履歴管理部である。履歴管理装置９は、生成した履歴情報を履歴記憶装置６に記憶する。
【００７９】
分析装置１０は、既定のタイミングで、履歴記憶装置６に記憶された履歴情報に基づいて、特定サービスを受けるモバイル端末１の通信の履歴を分析した分析結果を生成し、その分析結果をコンテンツ主端末１１に送信する分析部である。なお、分析結果は、各ユーザが特定されないように加工した匿名情報である。既定のタイミングは、定期的なタイミング（例えば、１週間ごと）や、履歴情報の分析が指示されたタイミングなどである。履歴情報の分析の指示は、分析装置１０に備わった入力装置（図示せず）から入力されてもよいし、コンテンツ主端末１１のような他の装置から入力されてもよい。
【００８０】
コンテンツ主端末１１は、コンテンツ主が利用する端末であり、タブレットコンピュータやＰＣなどである。コンテンツ主端末１１は、分析装置１０から分析結果を受信し、その分析結果を記憶および表示する。
【００８１】
以下、履歴管理装置９により履歴情報の生成と分析装置１０による履歴情報の分析の具体例について詳細に説明する。
【００８２】
（第１の生成・分析パターン）
第１の生成・分析パターンでは、履歴管理装置９は、ネットワーク接続装置７の接続制御部７０３がアクティベーション処理後にモバイル端末１をコンテンツサーバ８に接続させた場合、現在の日時をモバイル端末１が最初にコンテンツサーバ８に接続した初回接続日時として示す個別履歴情報を生成し、その個別履歴情報とモバイル端末１の端末識別子とを対応付けて履歴情報として履歴記憶装置６に記憶する。なお、コンテンツサーバ８が複数ある場合、履歴管理装置９は、コンテンツサーバ８ごとに初回接続日時を示す情報を個別履歴情報として生成してもよい。
【００８３】
分析装置１０は、既定のタイミングで、履歴記憶装置６から履歴情報を取得し、その履歴情報に基づいて、コンテンツサーバ８に初めて接続したモバイル端末１の総数や、コンテンツサーバ８に初めて接続したモバイル端末１の数の特定期間ごとの分布を分析結果として生成する。特定期間は、例えば、１時間、１日、または、所定の第１の日付から所定の第２の日付の間などである。また、コンテンツサーバ８が複数ある場合、分析装置１０は、コンテンツサーバ８ごと分析結果として生成してもよい。
【００８４】
（第２の生成・分析パターン）
第２の分析パターンでは、履歴管理装置９は、ＳＩＭ識別子記憶装置２において特定種別を示す初期契約情報に対応するＳＩＭ識別子を監視対象の識別子とし、ＩＰアドレス記憶装置４において監視対象の識別子と対応する接続状況情報を監視して、接続状況情報が「接続中」となったか否かを判定する。このとき、履歴管理装置９は、ＩＰアドレス記憶装置４に記憶されたアドレス情報の更新を監視してもよいし、ＩＰアドレス記憶装置４に記憶されたアドレス情報の更新された際にＩＰアドレス記憶装置４からその旨が通知されるならば、その通知を用いて接続状況情報を監視してもよい。
【００８５】
接続状況情報が「接続中」となった場合、履歴管理装置９は、ＩＰアドレス記憶装置４において「接続中」となった接続状況情報に対応するＩＰアドレスが割り当てられたモバイル端末１によるインターネット２３上の通信を監視し、ＳＩＭ識別子記憶装置２においてそのモバイル端末１のＳＩＭ識別子に対応する初期契約情報が示す特定種別と種別記憶装置５において対応する対応接続先情報が示す接続先であるコンテンツサーバ８に、そのモバイル端末１が接続したか否かを判定する。モバイル端末１がコンテンツサーバ８に接続された場合、履歴管理装置９は、現在の日時を、モバイル端末１がコンテンツサーバ８に接続した接続日時として示す個別履歴情報を生成し、その個別履歴情報とモバイル端末１の端末識別子とを対応付けて履歴情報として履歴記憶装置６に記憶する。履歴管理装置９は、以上の処理を、モバイル端末１がインターネット２３から切断するまで繰り返す。なお、コンテンツサーバ８が複数ある場合、履歴管理装置９は、コンテンツサーバ８ごとに接続日時を示す個別履歴情報を生成してもよい。
【００８６】
分析装置１０は、既定のタイミングで、履歴記憶装置６から履歴情報を取得し、その履歴情報に基づいて、モバイル端末１がコンテンツサーバ８に接続した総回数、コンテンツサーバ８に接続したモバイル端末１の数（端末識別子の数）である接続ユーザ数、モバイル端末１ごと（端末識別子ごと）のコンテンツサーバに接続した接続回数、接続ユーザ数や接続回数の特定期間ごとの分布などを分析結果として生成する。また、コンテンツサーバ８が複数ある場合、分析装置１０は、コンテンツサーバ８ごとに分析結果を生成してもよい。
【００８７】
（第３の生成・分析パターン）
第３の分析パターンでは、履歴管理装置９は、ＳＩＭ識別子記憶装置２において特定種別を示す初期契約情報に対応するＳＩＭ識別子を監視対象の識別子とし、ＩＰアドレス記憶装置４において監視対象の識別子と対応する接続状況情報が「接続中」となったか否かを監視する。このとき、履歴管理装置９は、ＩＰアドレス記憶装置４に記憶されたアドレス情報の更新を監視してもよいし、ＩＰアドレス記憶装置４に記憶されたアドレス情報の更新された際にＩＰアドレス記憶装置４からその旨が通知されるならば、その通知を利用してもよい。
【００８８】
接続状況情報が「接続中」となった場合、履歴管理装置９は、ＩＰアドレス記憶装置４において「接続中」となった接続状況情報に対応するＩＰアドレスが割り当てられたモバイル端末１のインターネット２３上の通信を監視する。そして、履歴管理装置９は、モバイル端末１が接続したインターネット２３上の接続先を示すネット接続先情報（ＵＲＬやＩＰアドレスなど）と接続日時とを示すネット接続情報を個別履歴情報として生成し、その個別履歴情報とモバイル端末の端末識別子とを対応付けて履歴情報として履歴記憶装置６に記憶する。履歴管理装置９は、以上の処理を、モバイル端末１がインターネット２３から切断するまで繰り返す。なお、コンテンツサーバ８が複数ある場合、履歴管理装置９は、コンテンツサーバ８ごとにネット接続情報を個別履歴情報として生成してもよい。
【００８９】
分析装置１０は、既定のタイミングで、履歴記憶装置６から履歴情報を取得し、その履歴情報に基づいて、ネット接続先情報が示す接続先ごとに、モバイル端末１がその接続先に接続した総回数、その接続先に接続したモバイル端末１の数である一般接続ユーザ数、モバイル端末１ごとのその接続先に接続した接続回数、一般接続ユーザ数や接続回数の特定期間ごとの分布などを分析結果として生成する。また、分析装置１０は、モバイル端末１がコンテンツサーバ８に接続する前に接続していた接続先や、モバイル端末１がコンテンツサーバ８に接続した後に接続した接続先などに係る情報を分析結果として生成してもよい。
【００９０】
以上説明した第１〜第３の生成・分析パターンは単なる一例であって、これらに限定されるものではない。例えば、分析装置１０は、ユーザ情報記憶装置３に記憶されたユーザ情報内の属性情報を用いて、属性情報が示す属性ごとに通信の履歴を分析し、属性ごとに分析結果を生成してもよい。属性は、例えば、年齢や所在地（都道府県）などである。また、分析装置１０は、モバイル端末１に備わったＧＰＳ（Global Positioning System）機能、または、モバイル端末１が無線接続した基地局（無線ＬＡＮアクセスポイントも含む）の識別情報を用いてモバイル端末１の位置情報を取得し、コンテンツサーバ８にモバイル端末１が接続した際の位置や移動経路を分析してもよい。これらの場合、特定のＳＩＭカードを提供する提供者は、属性情報や位置情報を分析に使用することをユーザに示し、ユーザからそれに対する同意を得ていることが重要である。
【００９１】
次に動作を説明する。
図１０は、本実施形態のサービス提供システムの動作を説明するためのシーケンス図である。具体的には、モバイル端末１が特定サービスとして特定コンテンツを受けるまでの動作を説明するためのシーケンス図である。以下の動作では、ＳＩＭカード１００はモバイル端末１の着脱部１０４に装着されているものとする。
【００９２】
先ず、モバイル端末１のユーザが、モバイル端末１を用いて、図３に示した枠カード１１０に印刷された２次元バーコードを撮像する。これにより、モバイル端末１の生成部１０６は、上記の２次元バーコードを撮像した撮像画像を接続先取得用情報として生成し、その接続先取得用情報を端末制御部１０７に送信する。端末制御部１０７は、接続先取得用情報を受信し、その接続先取得用情報に含まれる２次元バーコードを接続先情報に変換することで、接続先情報を取得する（ステップＳ１０１）。
【００９３】
接続先情報を取得すると、端末制御部１０７は、その接続先情報である要求接続先情報と、接続先情報を既定の処理で取得した旨の特定取得情報とを含む接続要求を生成し、その接続要求を端末通信部１０５、アクセスネットワーク２１およびプロバイダネットワーク２２を介してネットワーク接続装置７に送信する（ステップＳ１０２）。
【００９４】
ネットワーク接続装置７の接続通信部７０１は、接続要求を受信すると、その接続要求を接続制御部７０３に送信する。接続制御部７０３は、接続要求を受信すると、ＳＩＭ識別子要求を、接続通信部７０１、プロバイダネットワーク２２およびアクセスネットワーク２１を介してモバイル端末１に送信する（ステップＳ１０３）。
【００９５】
モバイル端末１の端末通信部１０５は、ＳＩＭ識別子要求を受信すると、そのＳＩＭ識別子要求を端末制御部１０７に送信する。端末制御部１０７は、ＳＩＭ識別子要求を受信すると、着脱部１０４に装着されたＳＩＭカード１００からＳＩＭ識別子を取得し、そのＳＩＭ識別子を端末通信部１０５、アクセスネットワーク２１およびプロバイダネットワーク２２を介してネットワーク接続装置７に送信する（ステップＳ１０４）。なお、着脱部１０４にＳＩＭカード１００が装着され、その後、モバイル端末１の電源がオンになった際に、端末制御部１０７は、ＳＩＭカード１００からＳＩＭ識別子を取得して端末記憶部１０３に記憶してもよい。この場合、端末通信部１０５がＳＩＭ識別子要求を受信すると、端末制御部１０７は、端末記憶部１０３に記憶されたＳＩＭ識別子をネットワーク接続装置７に送信してもよい。
【００９６】
ネットワーク接続装置７の接続通信部７０１は、ＳＩＭ識別子を受信すると、その受信したＳＩＭ識別子を対象ＳＩＭ識別子として接続制御部７０３に送信する。接続制御部７０３は、対象ＳＩＭ識別子を受信すると、接続通信部７０１を介してＳＩＭ識別子記憶装置２に接続し、ＳＩＭ識別子記憶装置２に対象ＳＩＭ識別子が記憶されているか否かを確認し、対象識別子が記憶されている場合、その対象識別子に対応するアクティベーション情報が「済」を示すか否かを判定する（ステップＳ１０５）。
【００９７】
ここでは、対象識別子が記憶され、かつ、対象識別子に対応するアクティベーション情報が「未」を示すものとする。この場合、接続制御部７０３は、対象ＳＩＭ識別子のＳＩＭカード１００が特定サービスの提供に該当するか否かを判定する。具体的には、接続通信部７０１を介してＳＩＭ識別子記憶装置２および種別記憶装置５に接続する。そして、接続制御部７０３は、ＳＩＭ識別子記憶装置２において対象ＳＩＭ識別子に対応する初期契約情報に含まれる種別識別子が種別記憶装置５に記憶されているか否かを判定する。この種別識別子が種別記憶装置５に記憶されている場合、接続制御部７０３は、接続要求に含まれる要求接続先情報と、種別記憶装置５において対象ＳＩＭ識別子に対応する対応接続先情報とが互いに一致するか否かと、接続要求に特定取得情報が含まれているか否かを判定する（ステップＳ１０６）。
【００９８】
ここでは、種別識別子が種別記憶装置５に記憶され、要求接続先情報と対応接続先情報とが互いに一致し、接続要求に特定取得情報が含まれているものとする。この場合、接続制御部７０３は、対象ＳＩＭ識別子のＳＩＭカード１００が特定サービスの提供に該当すると判定して、第１の入会画面情報を生成し、その第１の入会画面情報を、接続通信部７０１、プロバイダネットワーク２２およびアクセスネットワーク２１を介してモバイル端末１に送信する（ステップＳ１０７）。
【００９９】
モバイル端末１の端末通信部１０５は、第１の入会画面情報を受信すると、その第１の入会画面情報を端末制御部１０７に送信する。端末制御部１０７は、第１の入会画面情報を受信すると、その第１の入会画面情報を表示部１０１に表示する。その後、入力部１０２が第１の必要項目情報を受け付け、その第１の必要項目情報を端末制御部１０７に送信する。端末制御部１０７は、第１の必要項目情報を受信すると、その第１の必要項目情報を、端末通信部１０５、アクセスネットワーク２１およびプロバイダネットワーク２２を介してネットワーク接続装置７に送信する（ステップＳ１０８）。
【０１００】
ネットワーク接続装置７の接続通信部７０１は、第１の必要項目情報を受信すると、その第１の必要項目情報を接続制御部７０３に送信する。接続制御部７０３は、第１の必要項目情報を受信すると、ユーザＩＤおよびパスワードを発行し、このユーザＩＤおよびパスワードと、第１の必要項目情報に含まれるユーザ属性情報と、ステップＳ１０４にて受信したＳＩＭ識別子を対応付けて、接続通信部７０１介してユーザ情報記憶装置３に記憶する。そして、接続制御部７０３は、接続通信部７０１を介してＳＩＭ識別子記憶装置２から対象ＳＩＭ識別子に対応する初期契約情報を取得し、その初期契約情報に現在の日付をモバイル回線開通日として加えた契約情報を生成する。接続制御部７０３は、その契約情報をユーザＩＤと対応付けて、接続通信部７０１を介してユーザ情報記憶装置３に記憶する（ステップＳ１０９）。
【０１０１】
接続制御部７０３は、認証情報を、接続通信部７０１、プロバイダネットワーク２２およびアクセスネットワーク２１を介してモバイル端末１に送信する。モバイル端末１の端末通信部１０５は、認証情報を受信すると、その認証情報を端末制御部１０７に送信する。端末制御部１０７は、認証情報を受信すると、その認証情報を表示部１０１に表示するとともに、端末記憶部１０３に記憶する（ステップＳ１１０）。
【０１０２】
また、接続制御部７０３は、認証情報を送信すると、対象ＳＩＭ識別子に対するアクティベーション処理を実行し、接続通信部７０１を介してＳＩＭ識別子記憶装置２に接続して、対象ＳＩＭ識別子に対応するアクティベーション情報を「済」に変更する（ステップＳ１１１）。
【０１０３】
接続制御部７０３は、接続記憶部７０２に記憶されたプール情報に基づいて、未だ割り当てていないＩＰアドレスのいずれかをモバイル端末１に対して割り当てる。そして、接続制御部７０３は、ＳＩＭ識別子、ＩＰアドレスおよび「接続中」を示す接続状況情報を対応付けてアドレス情報として、接続通信部７０１を介してＩＰアドレス記憶装置４に記憶する（ステップＳ１１２）。
【０１０４】
接続制御部７０３は、割り当てたＩＰアドレスを、接続通信部７０１、プロバイダネットワーク２２およびアクセスネットワーク２１を介してモバイル端末１に送信する。モバイル端末１の端末通信部１０５は、ＩＰアドレスを受信すると、そのＩＰアドレスを端末制御部１０７に送信する。端末制御部１０７は、ＩＰアドレスを受信すると、そのＩＰアドレスを端末記憶部１０３に記憶する（ステップＳ１１３）。これにより、モバイル端末１は、記憶されたＩＰアドレスを用いてインターネット２３上の種々の装置と通信することができる。
【０１０５】
接続制御部７０３は、ワンタイムパスワードを生成して、接続通信部７０１、プロバイダネットワーク２２およびアクセスネットワーク２１を介してモバイル端末１に送信する。モバイル端末１の端末通信部１０５は、ワンタイムパスワードを受信すると、そのワンタイムパスワードを端末制御部１０７に送信する。端末制御部１０７は、ワンタイムパスワードを受信すると、そのワンタイムパスワードを表示部１０１に表示する（ステップＳ１１４）。
【０１０６】
接続制御部７０３は、要求接続先情報と対応接続先とが互いに一致しているため、モバイル端末１を要求接続先情報が示す接続先であるコンテンツサーバ８にリダイレクトして、モバイル端末１とコンテンツサーバ８を、アクセスネットワーク２１、プロバイダネットワーク２２およびインターネット２３を介して互いに接続させる（ステップＳ１１５）。
【０１０７】
コンテンツサーバ８は、モバイル端末１と接続すると、パスワード要求を、インターネット２３、プロバイダネットワーク２２およびアクセスネットワーク２１を介してモバイル端末１に送信する。モバイル端末１の端末通信部１０５は、パスワード要求を受信すると、そのパスワード要求を端末制御部１０７に送信する。端末制御部１０７は、パスワード要求を受信すると、そのパスワード要求を表示部１０１に表示する（ステップＳ１１６）。
【０１０８】
入力部１０２がワンタイムパスワードを受け付けると、そのワンタイムパスワードを端末制御部１０７に送信する。端末制御部１０７は、ワンタイムパスワードを受信すると、そのワンタイムパスワードを、端末通信部１０５、アクセスネットワーク２１、プロバイダネットワーク２２およびインターネット２３を介してコンテンツサーバ８に送信する（ステップＳ１１７）。
【０１０９】
コンテンツサーバ８は、ワンタイムパスワードを受信すると、そのワンタイムパスワードが正規のワンタイムパスワードか否かを判定し、そのワンタイムパスワードが正規のワンタイムパスワードの場合、コンテンツを、インターネット２３、プロバイダネットワーク２２およびアクセスネットワーク２１を介してモバイル端末１に送信する。モバイル端末１の端末通信部１０５は、コンテンツを受信すると、そのコンテンツを端末制御部１０７に送信する。端末制御部１０７は、コンテンツを受信すると、そのコンテンツに応じた処理（例えば、表示部１０１への表示など）を行う（ステップＳ１１８）。
【０１１０】
図１１は、本実施形態のサービス提供システムにおける履歴情報の分析に係る動作を説明するためのシーケンス図である。
【０１１１】
先ず、履歴管理装置９は、特定サービスの提供を受けるモバイル端末１の通信を監視して、そのモバイル端末１の履歴情報を生成し（ステップＳ２０１）、その履歴情報を履歴記憶装置６に記憶する（ステップＳ２０２）。
【０１１２】
分析装置１０は、既定のタイミングになると、履歴記憶装置６に接続し（ステップＳ２０３）、履歴記憶装置６から履歴情報を取得する。（ステップＳ２０４）。分析装置１０は、取得した履歴情報を分析し、その分析結果を生成する（ステップＳ２０５）。そして、分析装置１０は、その分析結果を、履歴管理装置９、プロバイダネットワーク２２およびインターネット２３を介してコンテンツ主端末１１に送信する。コンテンツ主端末１１は、分析結果を受信し、その分析結果を記憶および表示する（ステップＳ２０６）。
【０１１３】
以上説明したように本実施形態によれば、接続制御部７０３は、接続通信部７０１が受信したＳＩＭ識別子がＳＩＭ識別子記憶装置２に記憶されているか否かを判定する処理を含む、モバイル端末１を認証する認証処理を行い、その認証処理に成功した場合、モバイル端末１に対して特定のＳＩＭカードに対応する特定サービスを提供する。このため、特定のＳＩＭカードを使用することにより、特定のＳＩＭカードに対応する特定サービスを受けることが可能になるため、他のＳＩＭカードとの有効な差別化を図ることが可能になる。
【０１１４】
また、分析装置１０が特定のＳＩＭカードを利用した通信の履歴を示す履歴情報を分析するため、特定のＳＩＭカードを提供する提供者は、特定のＳＩＭカードに対応する特定サービスを提供するコンテンツ主に対して、履歴情報の分析結果を提供することができる。このため、ＳＩＭカードの提供者は、分析結果の対価を受け取ることが可能になり、その対価を原資として利用して、特定サービスを受けるユーザに対して、別のコンテンツやグッズなどを提供したり、通信料金を割り引いたりするなど、付加価値を与えることができる。
【０１１５】
以上説明した各実施形態において、図示した構成は単なる一例であって、本発明はその構成に限定されるものではない。
【０１１６】
例えば、上記の実施形態で説明したサービス提供システム内の各装置の機能は、その機能を実現するためのプログラムを、コンピュータにて読み取り可能な記録媒体に記録して、この記録媒体に記録されたプログラムをコンピュータに読み込ませ実行させることで、実現されてもよい。
【０１１７】
また、接続先情報は、生成部１０６にて生成された接続先取得用情報から取得されるのではなく、ＳＩＭカード１００内に記録されていてもよし、入力部１０２がユーザから受け付けてもよい。
【符号の説明】
【０１１８】
１  モバイル端末
２  ＳＩＭ識別子記憶装置
３  ユーザ情報記憶装置
４  ＩＰアドレス記憶装置
５  種別記憶装置
６  履歴記憶装置
７  ネットワーク接続装置
８  コンテンツサーバ
９  履歴管理装置
１０  分析装置
１１  コンテンツ主端末
１０１  表示部
１０２  入力部
１０３  端末記憶部
１０４  着脱部
１０５  端末通信部
１０６  生成部
１０７  端末制御部
１１０  枠カード
１１１  保持領域
１１２  印刷領域
７０１  接続通信部
７０２  接続記憶部
７０３  接続制御部
【図１】
0006417351.tif 000002
【図２】
0006417351.tif 000003
【図３】
0006417351.tif 000004
【図４】
0006417351.tif 000005
【図５】
0006417351.tif 000006
【図６】
0006417351.tif 000007
【図７】
0006417351.tif 000008
【図８】
0006417351.tif 000009
【図９】
0006417351.tif 000010
【図１０】
0006417351.tif 000011
【図１１】
0006417351.tif 000012